【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
第１回転軸を有し、供給された被処理物を前記第１回転軸の回転に伴い送るスクリュと、前記スクリュを取り囲むように配置され、第１ろ過溝が形成された積層状ろ体とを含み、被処理物の１次脱水を行うスクリュ式脱水部と、
第２回転軸と、前記第２回転軸の軸方向に沿って配置され、第２ろ過溝が形成された積層状回転ろ体とを有する、上下２列に配置される複数の回転体を含み、前記スクリュ式脱水部の後段に配置され、前記スクリュ式脱水部により前記１次脱水された被処理物の２次脱水を行う回転体式脱水部とを備え、
前記スクリュ式脱水部と前記回転体式脱水部とを一体的に構成し、
前記スクリュ式脱水部の前記第１ろ過溝を通過したろ液を受け取るろ液受け部を設け、
前記ろ液受け部により、前記スクリュ式脱水部の前記第１ろ過溝を通過したろ液を、前記回転体式脱水部の前記第２ろ過溝を通過したろ液に対して分けるように構成されている、固液分離装置。
【請求項２】
前記スクリュ式脱水部により前記１次脱水された被処理物に凝集剤を供給する凝集剤供給部をさらに備える、請求項１に記載の固液分離装置。
【請求項３】
前記スクリュ式脱水部は、前記回転体式脱水部に被処理物を排出するスクリュ式脱水部排出口を含み、
前記スクリュ式脱水部排出口は、前記スクリュ式脱水部に被処理物を排出する混和槽の混和槽排出口と略同じ高さ位置に配置されている、請求項１または２に記載の固液分離装置。
【請求項４】
前記スクリュ式脱水部は、前記混和槽から被処理物が供給されるスクリュ式脱水部供給口を含み、
前記スクリュ式脱水部は、前記スクリュ式脱水部排出口が前記スクリュ式脱水部供給口よりも上方に位置するように、後段の前記回転体式脱水部に向かって斜め上方に傾斜して配置されている、請求項３に記載の固液分離装置。
【請求項５】
前記ろ液受け部と、前記回転体式脱水部の前記第２ろ過溝を通過したろ液を貯留する貯留部とを一体的に含む、タンクをさらに備える、請求項１〜４のいずれか１項に記載の固液分離装置。
【請求項６】
前記回転体式脱水部の前記第２ろ過溝を通過したろ液を貯留する貯留部をさらに備え、
前記貯留部に貯留された被処理物は、前記スクリュ式脱水部の前段に返送されるように構成されている、請求項１〜５のいずれか１項に記載の固液分離装置。
【請求項７】
前記スクリュ式脱水部は、複数設けられ、
複数の前記スクリュ式脱水部は、前記回転体式脱水部の前記第２回転軸の軸方向に沿って並列に配置されている、請求項１〜６のいずれか１項に記載の固液分離装置。
【請求項８】
前記スクリュは、前記回転体よりも速い回転速度で回転するように構成されている、請求項１〜７のいずれか１項に記載の固液分離装置。
【請求項９】
前記スクリュを毎分１回転以上の回転速度で回転させるとともに、前記回転体を毎分０．５回転以上の回転速度で回転させるように構成されている、請求項８に記載の固液分離装置。
【請求項１０】
第１回転軸を有し、供給された被処理物を前記第１回転軸の回転に伴い送るスクリュと、前記スクリュを取り囲むように配置され、第１ろ過溝が形成された積層状ろ体とを含み、被処理物の１次脱水を行うスクリュ式脱水部と、
第２回転軸と、前記第２回転軸の軸方向に沿って配置され、第２ろ過溝が形成された積層状回転ろ体とを有する、上下２列に配置される複数の回転体を含み、前記スクリュ式脱水部の後段に配置され、前記スクリュ式脱水部により前記１次脱水された被処理物の２次脱水を行う回転体式脱水部と、
前記スクリュ式脱水部の前記第１ろ過溝を通過したろ液を受け取るろ液受け部と、前記ろ液受け部とは区切られて設けられ、前記回転体式脱水部の前記第２ろ過溝を通過したろ液を貯留する貯留部とを一体的に含む、タンクと、
前記タンクから被処理物が供給され、供給された被処理物の固体成分を凝集してフロック化するとともに、被処理物を前記スクリュ式脱水部に供給する混和槽とを備え、
前記スクリュ式脱水部と前記回転体式脱水部とを一体的に構成し、
前記ろ液受け部により、前記スクリュ式脱水部の前記第１ろ過溝を通過したろ液を、前記回転体式脱水部の前記第２ろ過溝を通過したろ液に対して分けるように構成されている、固液分離システム。
【手続補正２】
【補正対象書類名】明細書
【補正対象項目名】０００７
【補正方法】変更
【補正の内容】
【０００７】
上記目的を達成するために、この発明の第１の局面における固液分離装置は、第１回転軸を有し、供給された被処理物を送るスクリュと、スクリュを取り囲むように配置され、第１ろ過溝が形成された積層状ろ体とを含み、被処理物の１次脱水を行うスクリュ式脱水部と、第２回転軸と、第２回転軸の軸方向に沿って配置され、第２ろ過溝が形成された積層状回転ろ体とを有する、上下２列に配置される複数の回転体を含み、スクリュ式脱水部の後段に配置され、スクリュ式脱水部により１次脱水された被処理物の２次脱水を行う回転体式脱水部とを備え、スクリュ式脱水部と回転体式脱水部とを一体的に構成し、スクリュ式脱水部の第１ろ過溝を通過したろ液を受け取るろ液受け部を設け、ろ液受け部により、スクリュ式脱水部の第１ろ過溝を通過したろ液を、回転体式脱水部の第２ろ過溝を通過したろ液に対して分けるように構成されている。
【手続補正３】
【補正対象書類名】明細書
【補正対象項目名】０００８
【補正方法】変更
【補正の内容】
【０００８】
この発明の第１の局面による固液分離装置では、上記のように、被処理物を送るスクリュを含み、被処理物の１次脱水を行うスクリュ式脱水部と、回転体を含み、スクリュ式脱水部の後段に配置され、被処理物の２次脱水を行う回転体式脱水部とを設ける。これにより、従来のように回転体式脱水部のみにより１段階で脱水を行う場合と比較して、スクリュ式脱水部と回転体式脱水部とにより２段階で脱水を行なうことができるので、スクリュの回転および回転体の回転を速くしたとしても、被処理物の含水率を低くすることができる。したがって、固液分離装置は、被処理物の含水率を低くするとともに、効率よく被処理物を排出することができる。また、スクリュ式脱水部と回転体式脱水部とを別体とする場合と比較して、スクリュ式脱水部と回転体式脱水部との間に設けられる配管などの被処理物の移送設備を設ける必要がないので、装置構成を簡素化することができる。
【手続補正４】
【補正対象書類名】明細書
【補正対象項目名】０００９
【補正方法】削除
【補正の内容】
【手続補正５】
【補正対象書類名】明細書
【補正対象項目名】００１３
【補正方法】変更
【補正の内容】
【００１３】
また、第１の局面による固液分離装置では、好ましくは、ろ液受け部と、回転体式脱水部の第２ろ過溝を通過したろ液を貯留する貯留部とを一体的に含む、タンクをさらに備える。このように構成すれば、ろ液受け部と貯留部とを別体とする場合よりも、装置構成を簡素化することができる。
この場合、好ましくは、回転体式脱水部の第２ろ過溝を通過したろ液を貯留する貯留部をさらに備え、また、さらに好ましくは、貯留部に貯留された被処理物は、スクリュ式脱水部の前段に返送されるように構成されている。このように構成すれば、回転体式脱水部から排出されたろ液を貯留部にて貯留することができるとともに、貯留部に貯留されたろ液を再循環させることにより確実に処理することができる。
【手続補正６】
【補正対象書類名】明細書
【補正対象項目名】００１５
【補正方法】変更
【補正の内容】
【００１５】
また、第１の局面による固液分離装置では、好ましくは、スクリュは、回転体よりも速い回転速度で回転するように構成されている。ここで、一般的に、重力ろ過される被処理物よりも固分を多く含む被処理物に対して行われる圧搾ろ過は、重力ろ過よりも時間を要する。したがって、スクリュ式脱水部の後段に回転体式脱水部を設け、スクリュ式脱水部のスクリュを回転体式脱水部の回転体よりも速い回転速度で回転させることにより、スクリュ式脱水部において重力ろ過を行った後、スクリュ式脱水部における重力ろ過よりも、回転体式脱水部における圧搾ろ過を時間を掛けて行うことができる。その結果、効果的に被処理物の含水率を下げることができる。なお、重力ろ過とは、例えば、細かな隙間などにより液分をこし取るようなろ過であり、被処理物の液分に作用する重力により、固分と液分とを分離させるろ過である。また、圧搾ろ過とは、被処理物を加圧（圧搾）することにより、被処理物から液分を絞り出すろ過である。
この場合、好ましくは、スクリュを毎分１回転以上の回転速度で回転させるとともに、回転体を毎分０．５回転以上の回転速度で回転させるように構成されている。このように構成すれば、スクリュを毎分１回転以上の回転速度で回転させて効率よく１次脱水を行うことができる。また、回転体を毎分０．５回転以上の回転速度で回転させて効率よく２次脱水行うことができる。
【手続補正７】
【補正対象書類名】明細書
【補正対象項目名】００１６
【補正方法】変更
【補正の内容】
【００１６】
この発明の第２の局面における固液分離システムは、第１回転軸を有し、供給された被処理物を第１回転軸の回転に伴い送るスクリュと、スクリュを取り囲むように配置され、第１ろ過溝が形成された積層状ろ体とを含み、被処理物の１次脱水を行うスクリュ式脱水部と、第２回転軸と、第２回転軸の軸方向に沿って配置され、第２ろ過溝が形成された積層状回転ろ体とを有する、上下２列に配置される複数の回転体を含み、スクリュ式脱水部の後段に配置され、スクリュ式脱水部により１次脱水された被処理物の２次脱水を行う回転体式脱水部と、スクリュ式脱水部の第１ろ過溝を通過したろ液を受け取るろ液受け部と、ろ液受け部とは区切られて設けられ、回転体式脱水部の第２ろ過溝を通過したろ液を貯留する貯留部とを一体的に含む、タンクと、タンクから被処理物が供給され、供給された被処理物の固体成分を凝集してフロック化するとともに、被処理物をスクリュ式脱水部に供給する混和槽とを備え、スクリュ式脱水部と回転体式脱水部とを一体的に構成し、ろ液受け部により、スクリュ式脱水部の第１ろ過溝を通過したろ液を、回転体式脱水部の第２ろ過溝を通過したろ液に対して分けるように構成されている。
【手続補正８】
【補正対象書類名】明細書
【補正対象項目名】００１７
【補正方法】変更
【補正の内容】
【００１７】
この発明の第２の局面による固液分離システムでは、上記のように、被処理物を送るスクリュを含み、被処理物の１次脱水を行うスクリュ式脱水部と、回転体を含み、スクリュ式脱水部の後段に配置され、被処理物の２次脱水を行う回転体式脱水部とを設ける。これにより、従来のように回転体式脱水部のみにより１段階で脱水を行う場合と比較して、スクリュ式脱水部と回転体式脱水部とにより２段階で脱水を行なうことができるので、スクリュの回転および回転体の回転を速くしたとしても、被処理物の含水率を低くすることができる。したがって、固液分離装置は、被処理物の含水率を低くするとともに、効率よく被処理物を排出することができる。また、スクリュ式脱水部と回転体式脱水部とを別体とする場合と比較して、スクリュ式脱水部と回転体式脱水部との間に設けられる配管などの被処理物の移送設備を設ける必要がないので、装置構成を簡素化することができる。
【手続補正９】
【補正対象書類名】明細書
【補正対象項目名】００４１
【補正方法】変更
【補正の内容】
【００４１】
小径円板ろ片３０１は、図７に示すように、隣接する中径円板ろ片３００間の第２ろ過溝Ｓ２に揺動可能に配置されている。また、隣接する中径円板ろ片３００間の第２ろ過溝Ｓ２の小径円板ろ片３０１を除く部分には、ろ水流出溝Ｇ２が形成されている。大径円板ろ片３０２は、隣接する中径円板ろ片３００間の第２ろ過溝Ｓ２に揺動可能に配置されている。また、隣接する中径円板ろ片３００間の第２ろ過溝Ｓ２の大径円板ろ片３０２を除く部分には、ろ水流出溝Ｇ２が形成されている。これらのろ水流出溝Ｇ２を通って原液中の液体成分がろ過される。
【手続補正１０】
【補正対象書類名】明細書
【補正対象項目名】００４２
【補正方法】変更
【補正の内容】
【００４２】
また、図７に示すように、大径円板ろ片３０２は、固体成分を送る方向（Ａ方向に直交する方向）に隣接する積層状回転ろ体３０ａの第２ろ過溝Ｓ２内に揺動可能に配置されている。このように構成すれば、大径円板ろ片３０２および小径円板ろ片３０１の揺動により、第２ろ過溝Ｓ２が目詰まりするのを抑制することができる。
【手続補正１１】
【補正対象書類名】明細書
【補正対象項目名】００５２
【補正方法】変更
【補正の内容】
【００５２】
本実施形態では、上記のように、被処理物を送るスクリュ２２を含み、被処理物の１次脱水を行うスクリュ式脱水部２と、回転体３０を含み、スクリュ式脱水部２の後段に配置され、被処理物の２次脱水を行う回転体式脱水部３とを設ける。これにより、従来のように回転体式脱水部３のみにより１段階で脱水を行う場合と比較して、スクリュ式脱水部２と回転体式脱水部３とにより２段階で脱水を行なうことができるので、スクリュ２２の回転および回転体３０の回転を速くしたとしても、被処理物の含水率を低くすることができる。したがって、固液分離装置１００ａは、被処理物の含水率を低くするとともに、効率よく被処理物を排出することができる。ここで、一般的に、重力ろ過される被処理物よりも固分を多く含む被処理物に対して行われる圧搾ろ過は、重力ろ過よりも時間を要する。したがって、スクリュ式脱水部２の後段に回転体式脱水部３を設け、スクリュ式脱水部２のスクリュ２２を回転体式脱水部３の回転体３０よりも速い回転速度で回転させることにより、スクリュ式脱水部２において重力ろ過を行った後、スクリュ式脱水部２における重力ろ過よりも、回転体式脱水部３における圧搾ろ過を時間を掛けて行うことができる。その結果、効果的に被処理物の含水率を下げることができる。